【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
弁室、該弁室に開口する上部入出口、中間入出口、および下部入出口、前記上部入出口と前記中間入出口の間に設けられた上部弁口、並びに前記中間入出口と前記下部入出口の間に設けられた下部弁口を有する弁本体と、
前記弁室に昇降可能に配在されるとともに、前記上部弁口および前記下部弁口を流れる流体の通過流量を制御する上部弁体部および下部弁体部が昇降方向に離間して設けられた弁体と、
前記弁体を昇降させるべく前記弁体の上側に設けられた昇降駆動部と、を備え、
前記下部弁体部は、前記上部弁口および前記下部弁口より小径に形成され、前記上部弁口を通して前記下部弁口の内側に挿入可能となっており、
前記弁本体の底部は、前記弁体の最下降位置を規定する下部ストッパとされていることを特徴とする流路切換弁。
【請求項２】
前記上部弁体部は、前記上部弁口より小径に形成され、前記上部弁口の内側に挿入可能となっていることを特徴とする請求項１に記載の流路切換弁。
【請求項３】
前記弁本体の底部に当接する前記弁体の下端部は平面で構成されていることを特徴とする請求項１又は２に記載の流路切換弁。
【請求項４】
前記上部弁体部は、前記上部弁口より大径に形成され、前記上部弁口に設けられた弁座に接離するようになっていることを特徴とする請求項１に記載の流路切換弁。
【請求項５】
前記上部弁体部と前記下部弁体部の間に、該上部弁体部および下部弁体部より小径の中間くびれ部が設けられていることを特徴とする請求項１から４のいずれか一項に記載の流路切換弁。
【請求項６】
前記上部弁体部または前記下部弁体部の少なくとも一方に、前記中間くびれ部に連なる円錐台状のテーパ面部が設けられていることを特徴とする請求項５に記載の流路切換弁。
【請求項７】
前記上部弁体部と前記下部弁体部とは同じ外径を有することを特徴とする請求項１に記載の流路切換弁。
【請求項８】
前記上部弁体部は、前記下部弁体部より大径に形成されていることを特徴とする請求項１に記載の流路切換弁。
【請求項９】
前記上部弁口と前記下部弁口の間は、円筒面で構成されていることを特徴とする請求項１から８のいずれか一項に記載の流路切換弁。
【請求項１０】
前記弁室は、前記上部入出口が開口するとともに前記上部弁体部が配在される比較的大径の上部拡径部、前記下部入出口が開口するとともに前記下部弁体部が配在される比較的大径の下部拡径部、および、前記中間入出口が開口するとともに前記上部拡径部と前記下部拡径部の間に設けられた比較的小径の中間縮径部で構成されており、
前記上部拡径部と前記中間縮径部の間に形成される段差部分が前記上部弁口とされ、前記下部拡径部と前記中間縮径部の間に形成される段差部分が前記下部弁口とされていることを特徴とする請求項９に記載の流路切換弁。
【請求項１１】
前記弁体は、一部品で構成されていることを特徴とする請求項１から１０のいずれか一項に記載の流路切換弁。
【請求項１２】
前記弁本体は、一部品で構成されていることを特徴とする請求項１から１１のいずれか一項に記載の流路切換弁。
【請求項１３】
前記弁体の下部の横動規制を行う弁体ガイド部が前記弁本体に設けられていることを特徴とする請求項１に記載の流路切換弁。
【請求項１４】
前記弁体ガイド部として、前記弁体の下端部が挿入される弁体ガイド穴が前記弁本体の底部に設けられていることを特徴とする請求項１３に記載の流路切換弁。
【請求項１５】
前記弁体の最下降位置から最上昇位置まで、前記弁体の下端部が前記弁体ガイド穴に挿入されるようにされていることを特徴とする請求項１４に記載の流路切換弁。
【請求項１６】
前記弁体の下端部は、曲面で構成されていることを特徴とする請求項１４又は１５に記載の流路切換弁。
【請求項１７】
前記弁本体は、前記弁室が設けられるとともに底面が開口した胴体部材と、該胴体部材の底面開口を気密的に閉塞する底蓋部材とを有していることを特徴とする請求項１４から１６のいずれか一項に記載の流路切換弁。
【請求項１８】
前記弁体ガイド穴は、前記底蓋部材に設けられていることを特徴とする請求項１７に記載の流路切換弁。
【請求項１９】
前記弁体ガイド穴は、前記底蓋部材において前記底面開口に嵌合される嵌合凸部に設けられていることを特徴とする請求項１８に記載の流路切換弁。
【請求項２０】
前記弁体ガイド穴は、前記胴体部材の前記底面開口と前記底蓋部材とで画成されていることを特徴とする請求項１７に記載の流路切換弁。
【手続補正２】
【補正対象書類名】明細書
【補正対象項目名】０００７
【補正方法】変更
【補正の内容】
【０００７】
上記課題を解決するために、本発明に係る流路切換弁は、基本的に、弁室、該弁室に開口する上部入出口、中間入出口、および下部入出口、前記上部入出口と前記中間入出口の間に設けられた上部弁口、並びに前記中間入出口と前記下部入出口の間に設けられた下部弁口を有する弁本体と、前記弁室に昇降可能に配在されるとともに、前記上部弁口および前記下部弁口を流れる流体の通過流量を制御する上部弁体部および下部弁体部が昇降方向に離間して設けられた弁体と、前記弁体を昇降させるべく前記弁体の上側に設けられた昇降駆動部と、を備え、前記下部弁体部は、前記上部弁口および前記下部弁口より小径に形成され、前記上部弁口を通して前記下部弁口の内側に挿入可能となっており、前記弁本体の底部は、前記弁体の最下降位置を規定する下部ストッパとされていることを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００４４
【補正方法】変更
【補正の内容】
【００４４】
本実施形態では、弁体２０の上部弁体部２２および下部弁体部２４（の外径）は、同径（同じ外径）に形成されるとともに、弁本体１０の中間縮径部１３の内径（すなわち、上部弁口１７および下部弁口１９の弁口径）より小径に形成されている。したがって、弁体２０の昇降（軸線Ｏ方向移動）に応じて、弁体２０の上部弁体部２２は、弁本体１０の上部拡径部１２に配在されるとともに、中間縮径部１３の上端部分からなる上部弁口１７（の内側）に所定の大きさの間隙をもって挿入可能となっている。また、弁体２０の下部弁体部２４は、弁本体１０の下部拡径部１４に配在されるとともに、中間縮径部１３の下端部分からなる下部弁口１９（の内側）に所定の大きさの間隙をもって挿入可能となっている。また、組立等に際しては、弁体２０の下部弁体部２４は、上部弁口１７を通して下部弁口１９の内側に挿入可能となるため、弁体２０は、弁本体１０の上側（円筒部１５の上部開口）から弁室１１内の所定位置に（一方向で）挿入・配置可能となっている。
【手続補正５】
【補正対象書類名】明細書
【補正対象項目名】００６９
【補正方法】変更
【補正の内容】
【００６９】
この第２実施形態においても、弁体２０の下部弁体部２４（の外径）は、弁本体１０の中間縮径部１３の内径（すなわち、上部弁口１７および下部弁口１９の弁口径）より小径に形成されているので、組立等に際しては、弁体２０の下部弁体部２４は、上部弁口１７を通して下部弁口１９の内側に挿入可能となっているため、弁体２０は、弁本体１０の上側（円筒部１５の上部開口）から弁室１１内の所定位置に（一方向で）挿入・配置可能となっている。
【手続補正６】
【補正対象書類名】明細書
【補正対象項目名】００７２
【補正方法】変更
【補正の内容】
【００７２】
一方で、上記構成とされた本実施形態の流路切換弁２では、図４に示されるように、上部弁体部２２（の上部テーパ面部２２ａ）が上部弁口１７（の弁座１７ａ）に着座（当接）して、弁体２０が最下降位置にあるときに、弁体２０の下部弁体部２４は、下部弁口１９より下側の下部拡径部１４に位置せしめられるとともに、上部弁体部２２の下部に設けられた上部テーパ面部２２ａによって上部弁口１７が閉じられる。そのため、冷媒等の流体は、下部弁口１９を介して下部入出口１４ａと中間入出口１３ａとの間のみで流され、上部弁口１７を介した上部入出口１２ａと中間入出口１３ａとの間の流体の流れは遮断されることになる（図６参照）。